(57)【要約】      （修正有）【課題】接続部材を基板に接触することにより電気接続できる構造が単純で製造が容易な接触式電気接続型玩具ブロック及び電気接続装置を提供する。【解決手段】基板２１１及び基板に取り付けられる電子素子を備える電子部材２１と、基板と接触することにより電子素子と電気接続するように、基板に貫設される複数の接続柱２２と、を有し、複数の接続柱は、絶縁体である柱体２２１と、間隔をおいて柱体に貫設される、第一電極体２２２及び第二電極体２２３とを備え、第一電極体は、柱体から横方向に突出する第一接触プレート２２２１を備え、第二電極体は、柱体から横方向に突出する第二接触部２２３１を備え、第一接触プレート及び第二接触部が電子部材の基板と電気接続する。【選択図】図３
0003187965.tif 000002
【実用新案登録請求の範囲】
【請求項１】
基板及び該基板に取り付けられる電子素子を備える電子部材と、該基板と接触することにより電子素子と電気接続するように、該基板に貫設される複数の接続柱と、を有し、
その内、前記複数の接続柱は、絶縁体である柱体と、間隔をおいて該柱体に貫設される、第一電極体及び第二電極体とを備え、該第一電極体は、該柱体から横方向に突出する第一接触プレートを備え、該第二電極体は、該柱体から横方向に突出する第二接触部を備え、該第一接触プレート及び第二接触部が電子部材の基板と電気接続することを特徴とする電気接続装置。
【請求項２】
前記第一電極体の第一接触プレート及び第二電極体の第二接触部が同一平面に位置して基板に当接されることを特徴とする請求項１に記載の電気接続装置。
【請求項３】
前記柱体における、一端に第一挿設部が設けられ、他端に該第一挿設部の形に合う第二挿設部が設けられることを特徴とする請求項１に記載の電気接続装置。
【請求項４】
前記柱体の外周面に第一挿設部の内部と連通する中空状の第三挿設部が設けられ、該第三挿設部の底端に装着口が形成され、
前記第一電極体の第一接触プレートが装着口に当接するように、第三挿設部に貫設されることを特徴とする請求項３に記載の電気接続装置。
【請求項５】
前記第一電極体は、第一電極プレート及び第一電極リングを備え、該第一電極プレートは、上端が第一挿設部の内部へ向かって突出し、下端が該第三挿設部から外部へ突出するように設けられ、該第一電極リングは、該第一電極プレートの上端と接触するように柱体の第一挿設部の内周面に被せられ、また、前記第一接触プレートは、該第一電極プレートに延設されることを特徴とする請求項４に記載の電気接続装置。
【請求項６】
前記柱体は一体成形であり、
前記第二挿設部の一側にスリットが形成され、
前記第二電極体の第二接触部１が第二挿設部のスリットから突出することを特徴とする請求項３乃至５に記載の電気接続装置。
【請求項７】
前記接続柱の柱体は、内面一側に第一装着凹部が、内面他側に第二装着凹部が凹設される第一ハーフシェールと、内面一側に第一装着凹部が、内面他側に第二装着凹部が凹設される第二ハーフシェールと、該第一ハーフシェールと第二ハーフシェールとを組み合わせるための係合部材とを備え、
前記第一電極体が第一ハーフシェールの第一装着凹部及び第二ハーフシェールの第一装着凹部に貫設され、
前記第二電極体が第一ハーフシェールの第二装着凹部及び第二ハーフシェールの第二装着凹部と第一ハーフシェールの第三装着凹部及び第二ハーフシェールの第三装着凹部に貫設されることを特徴とする請求項１に記載の電気接続装置。
【請求項８】
前記接続柱の第二電極体の中段に曲折するように曲がり部が設けられることを特徴とする請求項１、２、３、４、５、７の何れか１項に記載の電気接続装置。
【請求項９】
前記基板の上面に第一回路及び第二回路が形成され、
前記電子素子は、第一回路及び第二回路と電気接続され
前記第一電極体の第一接触プレートは、基板の第一回路と接触し、
前記第二電極体の第二接触部は、基板の第二回路と接触することを特徴とする請求項１、２、３、４、５、７の何れか１項に記載の電気接続装置。
【請求項１０】
請求項１乃至９の何れか一項の電気接続装置と、ケース及びベースを備える本体とを有し、その内、該電気接続装置の接続柱は、ケースとベースとの間に設置され、上端がケースに当接され、第一電極体の第一接触プレート及び第二電極体の第二接触部がそれぞれ基板に当接され、基板がベースの上側に当接されることを特徴とする接触式電気接続型玩具ブロック。
【考案の詳細な説明】
【技術分野】
【０００１】
本考案は、特に接続部材を基板に接触させることにより電気接続する接触式電気接続型玩具ブロック及びその電気接続装置に関するものである。
【背景技術】
【０００２】
玩具ブロックは、想像力や創作力を用いて好みの形状にブロックを自由に組み立てるものであり、子供などに非常に好評となっている。既存の玩具ブロックは、内部に電子部材（例えば、ＬＥＤライトやサウンダなど）、基板、接続柱を取り付け、ブロックを電気接続可能な構造にしたものであり、この電気接続可能な構造によれば、複数のブロックを組立てて電気接続させることができることから、ブロックを外部の電源と接続して基板上の電子部材に電力を供給することにより、発光させたり、音を出したりできるので、よりブロックの楽しみ方が増える。
【０００３】
既存の電気接続可能な玩具ブロックには、台湾実用新案第Ｍ４０８４０２号を有し、この玩具ブロックは、内部に基板を備え、該基板に接続柱が挿設され、該接続柱に正極接続部材及び負極接続部材が設置され、その正極接続部材及び負極接続部材は、金属ワイヤを溶接手段で基板に接着して基板上の電子部材と電気接続することができる。
【考案の概要】
【考案が解決しようとする課題】
【０００４】
しかしながら、既存の電気接続可能な玩具ブロックは、接続柱の正極接続部材及び負極接続部材を備え、構造が複雑で部品の数が多く、また、製造に手間がかかると共に、正極接続部材及び負極接続部材の金属ワイヤを溶接手段で基板に接着する必要もあることから、製造が不便で、人件費が高くつき、環境にも悪影響を与えるので、改良する必要があった。
【課題を解決するための手段】
【０００５】
本考案に係る電気接続装置は、基板及び該基板に取り付けられる電子素子を備える電子部材と、該基板と接触することにより電子素子と電気接続するように、該基板に貫設される複数の接続柱と、を有し、
その内、前記複数の接続柱は、絶縁体である柱体と、間隔をおいて該柱体に貫設される、第一電極体及び第二電極体とを備え、該第一電極体は、該柱体から横方向に突出する第一接触プレートを備え、該第二電極体は、該柱体から横方向に突出する第二接触部を備え、該第一接触プレート及び第二接触部が電子部材の基板と電気接続するものである。
【０００６】
かかる電気接続装置において、前記第一電極体の第一接触プレート及び第二電極体の第二接触部が同一平面に位置して基板に当接されることが好ましい。
【０００７】
かかる電気接続装置において、前記柱体における、一端に第一挿設部が設けられ、他端に該第一挿設部の形に合う第二挿設部が設けられることが好ましい。
【０００８】
かかる電気接続装置において、前記柱体の外周面に第一挿設部の内部と連通する中空状の第三挿設部が設けられ、該第三挿設部の底端に装着口が形成され、
前記第一電極体の第一接触プレートが装着口に当接するように、第三挿設部に貫設されることが好ましい。
【０００９】
かかる電気接続装置において、前記第一電極体は、第一電極プレート及び第一電極リングを備え、該第一電極プレートは、上端が第一挿設部の内部へ向かって突出し、下端が該第三挿設部から外部へ突出するように設けられ、該第一電極リングは、該第一電極プレートの上端と接触するように柱体の第一挿設部の内周面に被せられ、また、前記第一接触プレートは、該第一電極プレートに延設されることが好ましい。
【００１０】
かかる電気接続装置において、前記柱体は一体成形であり
前記第二挿設部の一側にスリットが形成され、
前記第二電極体の第二接触部１が第二挿設部のスリットから突出することが好ましい。
【００１１】
かかる電気接続装置において、前記接続柱の柱体は、内面一側に第一装着凹部が、内面他側に第二装着凹部が凹設される第一ハーフシェールと、内面一側に第一装着凹部が、内面他側に第二装着凹部が凹設される第二ハーフシェールと、該第一ハーフシェールと第二ハーフシェールとを組み合わせるための係合部材とを備え、
前記第一電極体が第一ハーフシェールの第一装着凹部及び第二ハーフシェールの第一装着凹部に貫設され、
前記第二電極体が第一ハーフシェールの第二装着凹部及び第二ハーフシェールの第二装着凹部と第一ハーフシェールの第三装着凹部及び第二ハーフシェールの第三装着凹部に貫設されることが好ましい。
【００１２】
かかる電気接続装置において、前記接続柱の第二電極体の中段に曲折するように曲がり部が設けられることが好ましい。
【００１３】
かかる電気接続装置において、前記基板の上面に第一回路及び第二回路が形成され、前記電子素子は、第一回路及び第二回路と電気接続され、
前記第一電極体の第一接触プレートは、基板の第一回路と接触し、
前記第二電極体の第二接触部は、基板の第二回路と接触することが好ましい。
【００１４】
さらに、本考案に係る接触式電気接続型玩具ブロックは、上述した電気接続装置と、ケース及びベースを備える本体とを有し、その内、該電気接続装置の接続柱は、ケースとベースとの間に設置され、上端がケースに当接され、第一電極体の第一接触プレート及び第二電極体の第二接触部がそれぞれ基板に当接され、基板がベースの上側に当接されるものである。
【考案の効果】
【００１５】
本考案に係る電気接続装置は、それぞれの接続柱の構造が同一であることから、製造上にモジュール化することが可能であり、生産コストを節約することができる。また、接続柱の第一電極体及び第二電極体は、基板の回路に接触して接続されることから、溶接手段を用いずに、接続柱を基板と電気接続させることができるので、環境に悪影響を与えないと共に、部品の数量を減らすことができ、且つ組み立ても簡単となる。
【図面の簡単な説明】
【００１６】
【図１】本考案に係る接触式電気接続型玩具ブロックの第一実施例の上面視斜視図である。
【図２】本考案に係る接触式電気接続型玩具ブロックの第一実施例の底面視斜視図である。
【図３】本考案に係る接触式電気接続型玩具ブロックの第一実施例の部分分解斜視図である。
【図４】本考案に係る接触式電気接続型玩具ブロックの第一実施例の接続柱の部分分解斜視図である。
【図５】本考案に係る接触式電気接続型玩具ブロックの電気接続装置の第一実施例の縦方向断面図である。
【図６】本考案に係る接触式電気接続型玩具ブロックの電気接続装置の第一実施例における横方向の断面図である。
【図７】本考案に係る接触式電気接続型玩具ブロックの第一実施例において、２つの積木を組み立てた状態を示す縦方向の断面図である。
【図８】本考案に係る接触式電気接続型玩具ブロックの第二実施例の接続柱の部分分解斜視図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１乃至図３に示すように、接触式電気接続型玩具ブロックにおける第一実施例は、本体１０及び電気接続装置２０を有し、その内、該本体１０は、中空状を呈し、ケース１４及びベース１３を備え、該ケース１４は、内部に中空状を呈し、その底部に内部と連通する開口が形成されると共に、上面に複数の接続凸部１１が間隔をおいて凸設され、該各接続凸部１１の上面中央に内部と連通する孔が形成され、該ベース１３は、ケース１４の開口に嵌め込まれ、その底面に複数の接続凹部１２が間隔をおいて凹設される。
尚、本考案におけるブロック組み立てが完成すると、超音波溶着技術によって、ベース１３とケース１４とを一体に接着し、電気接続装置２０をしっかりと本体１０に取り付けることができる。
【００１９】
図３に示すように、前記電気接続装置２０は、本体１０のベース１３とケース１４との間に設置され、電子部材２１及び複数の接続柱２２を備える。
図５及び図６に示すように、該電子部材２１は、基板２１１及び電子素子２１２を含み、その内、該基板２１１は、ベース１３の上側に当接され、その上面に第一回路２１１１及び第二回路２１１２が形成され、該電子素子２１２はＬＥＤライトや、サウンダ、チップなどの電子部品であり、基板２１１に取り付けられ、第一回路２１１１と第二回路２１１２とを電気接続する。
【００２０】
尚、本考案においては、電子素子２１２の種類によって、本体１０はその電子素子２１２の機能を発揮できる特性を有することが好ましく、例えば、電子素子２１２がサウンダであれば、本体１０が音の伝送可能な特性を備えることが好ましく、電子素子２１２がライトであれば、本体１０が透光性を備えることが好ましいい（図５の如く）。
【００２１】
また、図６に示すように、第二回路２１１２は基板２１１の上面中央に形成されると共に、第一回路２１１１は第二回路２１１２と接触しないように、基板２１１の上面における第二回路２１１２の周囲に形成される。一方、第一回路２１１１は、基板２１１の上面中央に形成されると共に、第二回路２１１２は、第一回路２１１１と接触しないように、基板２１１の上面における第一回路２１１１の周囲に形成されてもよい（図示せず）。
【００２２】
図３に示すように、前記複数の接続柱２２はそれぞれ、上端がケース１４に当接しながら、下端がベース１３を通過するように、基板２１１に貫設され、図４及び図５に示すように、該各接続柱２２は、柱体２２１と、第一電極体２２２と、第二電極体２２３とを備える。
【００２３】
前記柱体２２１は、中心に貫通孔を有する一体成形の絶縁体であり、その一端にリング状の第一挿設部２２１１が設けられると共に、他端に円筒状を呈する第二挿設部２２１２が設けられ、中段の外周面に該第一挿設部２２１１の内部と連通する中空状の第三挿設部２２１３が設けられ、更に、該第二挿設部２２１２の一側にスリットスリット２２１２１が形成されると共に、該第三挿設部２２１３の底端に装着口２２１３１が形成され、前記第一挿設部２２１１は、ケース１４の接続凸部１１の孔に挿し込まれ、外周面がケース１４の接続凸部１１の内周面に当接され、前記第二挿設部２２１２は、ベース１３の接続凹部１２に設置される。
【００２４】
前記第一電極体２２２及び第二電極体２２３は、互いに接触しないように、間隔をおいて柱体２２１に取り付けられる。
第一実施例における第一電極体２２２は、第三挿設部２２１３に貫設され、第一電極プレート２２２２と、第一接触プレート２２２１と、第一電極リング２２２３とを備え、該第一電極プレート２２２２は、その上端が第一挿設部２２１１の内部へ向かって突出し、その下端が該第三挿設部２２１３の装着口２２１３１から突出するように、該第三挿設部２２１３に貫設され、該第一接触プレート２２２１は、第一接触プレート２２２１の下端近傍に横方向へ延設され、且つ該第三挿設部２２１３の装着口２２１３１に当接されると共に、基板２１１の第一回路２１１１と接触して電子素子２１２と電気接続し、該第一電極リング２２２３は、第一電極プレート２２２２の上端と接触するように柱体２２１の第一挿設部２２１１の内周面に被せられ、この構成により、第一電極プレート２２２２の上端を第一電極リング２２２３と第一挿設部２２１１の内周面との間に挟持する。
【００２５】
前記第二電極体２２３は、貫通孔に貫設され、その上端が第一挿設部２２１１の中心へ突出すると共に、下端が第二挿設部２２１２のスリット２２１２１に位置し、また、該第二電極体２２３の中段に曲折するように曲がり部２２３２が設けられ、該曲がり部２２３２に第二接触部２２３１が横方向に延設され、該第二接触部２２３１は、第二挿設部２２１２のスリット２２１２１から突出しながら、基板２１１の第二回路２１１２と接触して電子素子２１２と電気接続する。
【００２６】
前記第一電極体２２２の第一接触プレート２２２１及び第二電極体２２３の第二接触部２２３１はそれぞれ、柱体２２１の相対する両側に向かって延設されると共に、同一平面に位置して基板２１１に当接する。尚、第一実施例においては、第二電極体２２３の第二接触部２２３１が基板２１１の中央に向かって延出され、第一電極体２２２の第一接触プレート２２２１が基板２１１の周囲に向かって延出され、一方、他の実施例では、第二接触部２２３１が基板２１１の周囲に向かって延出され、第一接触プレート２２２１が基板２１１の中央に向かって延出されてもよい。
【００２７】
図３、図５、図７に示すように、本考案に係る接触式電気接続型玩具ブロックにおいて、２つのブロックを組み立てる場合、下側のブロックのケース１４の接続凸部１１を上側のブロックのベース１３の接続凹部１２に挿し込むが、この時、上側のブロックの接続柱２２の第二挿設部２２１２を下側のブロックの接続柱２２の第一挿設部２２１１の内部に嵌め込み、上側の接続柱２２の第一電極体２２２の下端を下側の接続柱２２の第一電極リング２２２３と接触させて電気接続させると共に、上側の接続柱２２の第二電極体２２３の下端を下側の接続柱２２の第二電極体２２３の上端と接触させて電気接続させることから、上側の接続柱２２と下側の接続柱２２との電気接続が可能となる。即ち、上側のブロックは、それらの接続柱２２によって、下側の積木と電気接続される。
【００２８】
さらに、上側の接続柱２２の第二挿設部２２１２は、下側の接続柱２２の第一挿設部２２１１と対応していると共に、下側の接続柱２２の第二電極体２２３の上端は、上側の接続柱２２のスリット２２１２１の内壁と第二電極体２２３の曲がり部２２３２との間に嵌合しながら第二電極体２２３の下端と接触することから、２つのブロックをしっかりと組み合わせることができる。
【００２９】
図８に示すように、本考案に係る接触式電気接続型玩具ブロックにおける第二実施例は、殆ど第一実施例と同一であるが、接続柱２２Ａの柱体２２１Ａが異なる。
【００３０】
前記第二実施例の柱体２２１Ａは、一端に第一挿設部２２１１Ａが、他端に該第一挿設部２２１１Ａに対応する第二挿設部２２１２Ａが設けられ、外周面に該第一挿設部２２１１Ａの内部と連通する中空状の第三挿設部２２１３Ａが設けられ、また、該柱体２２１Ａの内部に、第一ハーフシェール２２１４Ａと、該第一ハーフシェール２２１４Ａの一側に接着される第二ハーフシェール２２１５Ａと、該第一ハーフシェール２２１４Ａと第二ハーフシェール２２１５Ａとを結合するための係合部材２２１６Ａとを備える。
【００３１】
尚、前記第一ハーフシェール２２１４Ａは、内面一側に第一装着凹部２２１４１Ａが、内面他側に第二装着凹部２２１４２Ａが、内面他側の下部に第三装着凹部２２１４３Ａが凹設され、前記第二ハーフシェール２２１５Ａは、内面一側に第一装着凹部２２１５１Ａが、内面他側に第二装着凹部２２１５２Ａが、内面他側の下部に第三装着凹部２２１５３Ａが凹設され、前記係合部材２２１６Ａは、第一ハーフシェール２２１４Ａに係合凹部が、第二ハーフシェール２２１５Ａに係合凸部が設けられ、また、該係合部材２２１６Ａは、第一ハーフシェール２２１４Ａに係合凸部が、第二ハーフシェール２２１５Ａに係合凹部が設けられてもよい。
【００３２】
この係合部材２２１６Ａの係合凸部を係合凹部に係合することにより、第一ハーフシェール２２１４Ａを第二ハーフシェール２２１５Ａに組み合わせ、そうすると、第一装着凹部２２１４１Ａを第一装着凹部２２１５１Ａに、第二装着凹部２２１４２Ａを第二装着凹部２２１５２Ａに、第三装着凹部２２１４３Ａを第三装着凹部２２１５３Ａ組み合わせると、接続柱２２Ａが完成する。また、第三挿設部２２１３Ａは、第一装着凹部２２１４１Ａ及び第一装着凹部２２１５１Ａと第二挿設部２２１２Ａの外側に形成され、装着口２２１３１Ａは、該第一装着凹部２２１４１Ａ及び第一装着凹部２２１５１Ａの底端に形成される。
【００３３】
更に、第一電極体２２２Ａが第三挿設部２２１３Ａに貫設され、第一電極プレート２２２２Ａが第一挿設部２２１１Ａの内部へ向かって突出し、第一接触プレート２２２１Ａが装着口２２１３１Ａから突出して第三挿設部２２１３Ａに当接し、第一電極リング２２２３が第一挿設部２２１１Ａの内周面に被せられて第一電極プレート２２２２Ａを挟持する。第二電極体２２３Ａが第二装着凹部２２１４２Ａ及び第二装着凹部２２１５２Ａと第三装着凹部２２１４３Ａ及び第三装着凹部２２１５３Ａに貫設され、第二接触部２２３１Ａが横方向に第一挿設部２２１１Ａから突出する。第二実施例の構造は、殆ど第一実施例と同一であり、２つの積木を組み立てる方法も同一であるので、ここでの説明を省略する。
【符号の説明】
【００３４】
１０          本体
１１          接続凸部
１２          接続凹部
１３          ベース
１４          ケース
２０          電気接続装置
２１          電子部材
２１１        基板
２１１１      第一回路
２１１２      第二回路
２１２        電子素子
２２          接続柱
２２１        柱体
２２１１      第一挿設部
２２１２      第二挿設部
２２１２１    スリット
２２１３      第三挿設部
２２１３１    装着口
２２２        第一電極体
２２２１      第一接触プレート
２２２２      第一電極プレート
２２２３      第一電極リング
２２３        第二電極体
２２３１      第二接触部
２２３２      曲がり
２２Ａ        接続柱
２２１Ａ      柱体
２２１１Ａ    第一挿設部
２２１２Ａ    第二挿設部
２２１３Ａ    第三挿設部
２２１３１Ａ  装着口
２２１４Ａ    第一ハーフシェール
２２１４１Ａ  第一装着凹部
２２１４２Ａ  第二装着凹部
２２１４３Ａ  第三装着凹部
２２１５Ａ    第二ハーフシェール
２２１５１Ａ  第一装着凹部
２２１５２Ａ  第二装着凹部
２２１５３Ａ  第三装着凹部
２２１６Ａ    係合部材
２２２Ａ      第一電極体
２２２１Ａ    第一接触プレート
２２３Ａ      第二電極体
２２３１Ａ    第二接触部
【図１】
0003187965.tif 000003
【図２】
0003187965.tif 000004
【図３】
0003187965.tif 000005
【図４】
0003187965.tif 000006
【図５】
0003187965.tif 000007
【図６】
0003187965.tif 000008
【図７】
0003187965.tif 000009
【図８】
0003187965.tif 000010
【手続補正書】
【提出日】平成25年10月9日(2013.10.9)
【手続補正１】
【補正対象書類名】実用新案登録請求の範囲
【補正対象項目名】全文
【補正方法】変更
【補正の内容】
【実用新案登録請求の範囲】
【請求項１】
基板及び該基板に取り付けられる電子素子を備える電子部材と、該基板と接触することにより電子素子と電気接続するように、該基板に貫設される複数の接続柱と、を有し、
その内、前記複数の接続柱は、絶縁体である柱体と、間隔をおいて該柱体に貫設される、第一電極体及び第二電極体とを備え、該第一電極体は、該柱体から横方向に突出する第一接触プレートを備え、該第二電極体は、該柱体から横方向に突出する第二接触部を備え、該第一接触プレート及び第二接触部が電子部材の基板と電気接続することを特徴とする電気接続装置。
【請求項２】
前記第一電極体の第一接触プレート及び第二電極体の第二接触部が同一平面に位置して基板に当接されることを特徴とする請求項１に記載の電気接続装置。
【請求項３】
前記柱体における、一端に第一挿設部が設けられ、他端に該第一挿設部の形に合う第二挿設部が設けられることを特徴とする請求項１に記載の電気接続装置。
【請求項４】
前記柱体の外周面に第一挿設部の内部と連通する中空状の第三挿設部が設けられ、該第三挿設部の底端に装着口が形成され、
前記第一電極体の第一接触プレートが装着口に当接するように、第三挿設部に貫設されることを特徴とする請求項３に記載の電気接続装置。
【請求項５】
前記第一電極体は、第一電極プレート及び第一電極リングを備え、該第一電極プレートは、上端が第一挿設部の内部へ向かって突出し、下端が該第三挿設部から外部へ突出するように設けられ、該第一電極リングは、該第一電極プレートの上端と接触するように柱体の第一挿設部の内周面に被せられ、また、前記第一接触プレートは、該第一電極プレートに延設されることを特徴とする請求項４に記載の電気接続装置。
【請求項６】
前記柱体は一体成形であり、
前記第二挿設部の一側にスリットが形成され、
前記第二電極体の第二接触部１が第二挿設部のスリットから突出することを特徴とする請求項３乃至５のいずれか一項に記載の電気接続装置。
【請求項７】
前記接続柱の柱体は、内面一側に第一装着凹部が、内面他側に第二装着凹部が凹設される第一ハーフシェールと、内面一側に第一装着凹部が、内面他側に第二装着凹部が凹設される第二ハーフシェールと、該第一ハーフシェールと第二ハーフシェールとを組み合わせるための係合部材とを備え、
前記第一電極体が第一ハーフシェールの第一装着凹部及び第二ハーフシェールの第一装着凹部に貫設され、
前記第二電極体が第一ハーフシェールの第二装着凹部及び第二ハーフシェールの第二装着凹部と第一ハーフシェールの第三装着凹部及び第二ハーフシェールの第三装着凹部に貫設されることを特徴とする請求項１に記載の電気接続装置。
【請求項８】
前記接続柱の第二電極体の中段に曲折するように曲がり部が設けられることを特徴とする請求項１、２、３、４、５、７の何れか１項に記載の電気接続装置。
【請求項９】
前記基板の上面に第一回路及び第二回路が形成され、
前記電子素子は、第一回路及び第二回路と電気接続され
前記第一電極体の第一接触プレートは、基板の第一回路と接触し、
前記第二電極体の第二接触部は、基板の第二回路と接触することを特徴とする請求項１、２、３、４、５、７の何れか１項に記載の電気接続装置。
【請求項１０】
請求項１乃至９の何れか一項の電気接続装置と、ケース及びベースを備える本体とを有し、その内、該電気接続装置の接続柱は、ケースとベースとの間に設置され、上端がケースに当接され、第一電極体の第一接触プレート及び第二電極体の第二接触部がそれぞれ基板に当接され、基板がベースの上側に当接されることを特徴とする接触式電気接続型玩具ブロック。